(57)【要約】【課題】    安価に構成でき、かつ利便性および防犯性能に優れた障子の外れ防止装置、およびこれを備えたサッシ窓を提供すること。【解決手段】障子１５に設けた一対の挟持部材２３によって、窓枠に設けた突出片１２２を挟持することで、障子１５が窓枠に連結され、障子１５の外れを防止することができる。そして、挟持部材２３の挟持状態と非挟持状態とが切り換え可能になっているので、障子１５の施錠時には、挟持状態とすることで防犯性能の向上を図ることができ、障子１５の開閉時や着脱時には、非挟持状態とすることで開閉や着脱を円滑に実施することができ、利便性を確保することができる。【選択図】  図４
2005127082.tif 000002
【特許請求の範囲】
【請求項１】
サッシ窓の窓枠内に開閉自在に支持された障子が前記窓枠から外れることを防止する障子の外れ防止装置であって、
前記窓枠には、当該窓枠の見付け方向内側に突出した突出片が設けられ、
前記障子には、前記窓枠の突出片の両側に対向配置され、かつ互いの間隔が変更可能に構成された一対の挟持部材と、これら一対の挟持部材の少なくとも一方を移動させ、当該挟持部材同士の間隔距離を変更させる操作手段とが設けられ、
前記操作手段の操作により、前記一対の挟持部材の間隔を狭めて前記突出片を挟持する挟持状態と、前記一対の挟持部材の間隔を広げて前記突出片から離す非挟持状態とが切り換え可能に構成された障子の外れ防止装置。
【請求項２】
前記突出片には、当該突出片の厚さ寸法よりも幅広な幅広部が設けられ、前記一対の挟持部材の少なくとも一方には、前記突出片の幅広部に係合可能に設けられた係合部が設けられ、
前記挟持状態において、前記係合部が前記幅広部に係合する係合状態となり、前記非挟持状態において、前記係合部が前記幅広部から外れる非係合状態となる障子の外れ防止装置。
【請求項３】
前記窓枠は、上枠、下枠、および左右の縦枠を四周枠組みして形成され、前記障子は、上框、下框、および左右の縦框を四周框組みした内部に面材を嵌め込んで形成されており、
前記突出片は、前記下枠に設けられ前記障子の戸車を案内するレールで構成され、前記幅広部は、前記レールの上端に設けられ前記戸車を転動可能に支持する戸車案内部で構成され、
前記一対の挟持部材、および操作手段は、前記障子の下框に設けられ、前記操作手段は、室内側から操作可能に設けられている請求項２に記載の障子の外れ防止装置。
【請求項４】
前記操作手段は、前記一対の挟持部材の対向方向外面に当接し、かつ前記突出片に沿って互いに対向する間隔距離が変化する一対の案内壁と、これら一対の案内壁に設けられ前記突出片に沿って延びる案内溝と、これらの案内溝に両端が案内されるとともに、前記一対の挟持部材に連結された操作桿と、前記挟持状態および非挟持状態の各々の状態において前記操作桿を位置決めする位置決め手段と、前記一対の挟持部材を互いに離れる方向に付勢する付勢手段とを備えて構成され、
前記案内溝のうちの一方は、前記案内壁を貫通して形成され、前記操作桿の一端は、前記一方の案内溝に挿通されて室内側に突出し、室内側から操作可能に設けられ、
前記操作桿を前記案内溝に沿って移動操作することで、前記挟持部材が前記案内壁に沿って案内され、当該一対の挟持部材の間隔距離が変更され、前記挟持状態または非挟持状態に切り換え可能に構成されている請求項１から請求項３のいずれかに記載の障子の外れ防止装置。
【請求項５】
前記操作手段は、前記一対の挟持部材の対向方向外面に設けられた傾斜面部と、これらの傾斜面部に外側から当接する環状部材と、この環状部材に連結されるとともに、室内側に突出して室内側から操作可能に設けられた操作桿と、この操作桿を案内して前記環状部材を前記傾斜面部に沿って移動させる案内溝と、前記一対の挟持部材を対向方向に案内する案内手段と、前記挟持状態および非挟持状態の各々の状態において前記操作桿を位置決めする位置決め手段と、前記一対の挟持部材を互いに離れる方向に付勢する付勢手段とを備えて構成され、
前記操作桿を前記案内溝に沿って移動操作することで、前記環状部材が前記挟持部材の傾斜面部に沿って移動し、当該一対の挟持部材の間隔距離が変更され、前記挟持状態または非挟持状態に切り換え可能に構成されている請求項１から請求項３のいずれかに記載の障子の外れ防止装置。
【請求項６】
前記一対の挟持部材は、前記障子に対して移動不能に設けられた固定挟持部材と、この固定挟持部材に対して進退自在に設けられた可動挟持部材とから構成され、この可動挟持部材には、その進退方向に対して傾斜した傾斜面部が設けられ、
前記操作手段は、前記可動挟持部材の傾斜面部に当接し、かつ前記突出片に沿ってスライド操作可能に設けられたスライド部材と、このスライド部材に連結されるとともに、室内側に突出して室内側から操作可能に設けられた操作桿と、前記可動挟持部材を前記固定挟持部材から離れる方向に付勢する付勢手段とを備えて構成され、
前記操作桿を操作し、前記スライド部材を前記可動挟持部材の傾斜面部に向かってスライドさせることで、前記可動挟持部材と前記固定挟持部材の間隔が狭まり、前記スライド部材を前記可動挟持部材の傾斜面部から離れる方向にスライドさせることで、前記可動挟持部材と前記固定挟持部材の間隔が広がり、前記挟持状態または非挟持状態に切り換え可能に構成されている請求項１から請求項３のいずれかに記載の障子の外れ防止装置。
【請求項７】
前記一対の挟持部材、および前記操作手段は、略箱状のケース体に内蔵されており、このケース体が前記障子に固定されている請求項１から請求項６のいずれかに記載の障子の外れ防止装置。
【請求項８】
上枠、下枠、および左右の縦枠を四周枠組みして形成された窓枠と、この窓枠内側に開閉自在に支持され、上框、下框、および左右の縦框を四周框組みした内部に面材を嵌め込んで形成された障子と、請求項１から請求項７のいずれかに記載の障子の外れ防止装置とを備えたサッシ窓であって、
前記下枠には、前記障子の戸車を案内するレールが設けられており、このレールによって、前記障子の外れ防止装置の突出片が構成され、
前記障子の外れ防止装置を構成する一対の挟持部材、および操作手段は、前記下框に設けられており、前記操作手段は、室内側から操作可能に設けられているサッシ窓。
【発明の詳細な説明】
【技術分野】
【０００１】
本発明は、障子の外れ防止装置、およびこれを備えたサッシ窓に関する。
【背景技術】
【０００２】
引違い窓や片引き窓等のサッシ窓において、窓枠内部に左右にスライド自在に支持された障子は、上下のけんどん式で窓枠に建て込まれ、また取り外されるようになっている。また、このようなサッシ窓における施錠手段としては、室内外の障子の召合せ框に設けられ、召合せ框同士を係合するクレセントが一般的である。
しかし、クレセントにより施錠したとしても、室外側から室外障子を上方に持ち上げ、障子の下框を窓下枠から外せば、障子が比較的容易に窓枠から外されてしまい、防犯上の問題がある。
そこで、障子の下框を窓下枠に係合させて、室外側から容易に障子を外せないようにした障子の外れ防止装置が提案されている（例えば、特許文献１、２参照）。
【０００３】
特許文献１に記載された障子の外れ防止装置は、下枠における室外障子の戸車を案内するガイドレールの室内側面から上方に立ち上がり、その上端が室内方向に折れ曲がった第１係止片と、室外障子における下框の室内側面が第１係止片よりも下方に延び、その下端が室外方向に折れ曲がった第２係止片とを備えている。そして、室内外の障子が重なった状態、つまり施錠状態などでは、室外障子を持ち上げても第２係止片が第１係止片に係止され、室外障子が外れないようになっている。また、室外障子を外す際には、室内外の障子をともに全開放した状態で、室内障子を外せば、室外障子を窓枠から取り外すことができるようになっている。
【０００４】
しかし、特許文献１の障子の外れ防止装置では、室内障子を外さなければ、室外障子を取り外すことができず、不便である。
そこで、特許文献２に記載された障子の外れ防止装置では、室外障子のみを取り外すことができるようになっている。すなわち、特許文献２の障子の外れ防止装置は、特許文献１と同様の第１および第２の係止片に加えて、室外障子の下框の室内側面に対向した立上り部が下枠に形成されており、この立上り部により室外障子の室内方向への移動が規制されている。これにより、室外障子を取り外す際には、先ず第２係止片の下端が立上り部の上端を越える位置まで室外障子を上方に持ち上げ、次に第１および第２の係止片が係止しない位置まで室外障子を室内側に移動させ、さらに第２係止片の下端がガイドレールの上端を越える位置まで室外障子を上方に持ち上げ、最後に室外障子を室外側に移動させて、室外障子を取り外すことになる。つまり、室外障子をクランク状に移動させなければ取り外せず、容易に取り外せないことから防犯性能を高めるとともに、室内障子を外さなくても室外障子が取り外せるので、利便性が向上されている。
【０００５】
【特許文献１】特公昭５８−４０６３２号公報
【特許文献２】実公平３−１２１４７号公報
【発明の開示】
【発明が解決しようとする課題】
【０００６】
しかしながら、特許文献１、２に記載の障子の外れ防止装置では、いずれも第１係止片や立上り部を下枠に形成し、第２係止片を室外障子の下框に形成しているため、枠材や框材の形状が複雑になるとともに、室内外の障子で下框の断面形状が相違するため、枠材や框材の種類数が増加してしまい、コストが増大するという問題がある。
また、特許文献２の障子の外れ防止装置では、施錠時等において室外障子を容易に外せないようにするだけで、意図的に操作すれば外せてしまうため、防犯性能の向上が期待できないという問題がある。
【０００７】
本発明の目的は、安価に構成でき、かつ利便性および防犯性能に優れた障子の外れ防止装置、およびこれを備えたサッシ窓を提供することにある。
【課題を解決するための手段】
【０００８】
本発明の障子の外れ防止装置は、サッシ窓の窓枠内に開閉自在に支持された障子が前記窓枠から外れることを防止する障子の外れ防止装置であって、前記窓枠には、当該窓枠の見付け方向内側に突出した突出片が設けられ、前記障子には、前記窓枠の突出片の両側に対向配置され、かつ互いの間隔が変更可能に構成された一対の挟持部材と、これら一対の挟持部材の少なくとも一方を移動させ、当該挟持部材同士の間隔距離を変更させる操作手段とが設けられ、前記操作手段の操作により、前記一対の挟持部材の間隔を狭めて前記突出片を挟持する挟持状態と、前記一対の挟持部材の間隔を広げて前記突出片から離す非挟持状態とが切り換え可能に構成されたことを特徴とする。
【０００９】
このような構成によれば、障子に設けた一対の挟持部材によって、窓枠に設けた突出片を挟持することで、障子が窓枠に連結され、障子の外れを防止することができる。この際、操作手段の操作により挟持状態と非挟持状態とが切り換え可能になっているので、障子の施錠時には、挟持状態とすることで防犯性能の向上を図ることができ、障子の開閉時や着脱時には、非挟持状態とすることで開閉や着脱を円滑に実施することができ、利便性を確保することができる。
また、従来の外れ防止装置では、室外障子を持ち上げた際に第１および第２の係合片同士が係合することで、室外障子の外れを防止しているのに対し、本発明では、挟持部材で突出片を挟持するようになっている。このため、本発明の挟持状態において、障子が窓枠にがたつきなく連結されるため、障子の下框と窓枠の下枠との間にバール等の工具が入りにくくなり、防犯性能をさらに向上させることができる。
【００１０】
ここで、突出片を窓枠に一体に形成してもよく、また別体に形成した突出片を窓枠に固定してもよい。突出片を窓枠に一体に形成する場合には、通常アルミ形材で形成される枠部材の長手方向に沿った形状とすることで、突出片が容易に形成される。また、突出片を窓枠と別体に形成し固定する場合には、突出片としての部材（ピース）をビス止めや溶接、嵌め込み等の固定手段で窓枠に固定するだけでよく、窓枠の枠材自体の形状を変更することなく、通常の枠材を用いることができるので、枠材の設計、製造にかかるコストの増加を防止することができる。
また、障子に設ける挟持部材や操作手段としては、障子の框材と別体に形成した部材を框材に取り付けるようにすればよい。これにより、框材自体の形状を変更することなく、通常の框材を用いることができるので、框材の設計、製造にかかる手間や、框材の種類数の増加を防止し、コスト低減を図ることができる。
【００１１】
この際、本発明の障子の外れ防止装置では、前記突出片には、当該突出片の厚さ寸法よりも幅広な幅広部が設けられ、前記一対の挟持部材の少なくとも一方には、前記突出片の幅広部に係合可能に設けられた係合部が設けられ、前記挟持状態において、前記係合部が前記幅広部に係合する係合状態となり、前記非挟持状態において、前記係合部が前記幅広部から外れる非係合状態となることが好ましい。
このような構成によれば、挟持部材に設けた係合部が突出片の幅広部に係合することで、より強固に障子と窓枠とが連結され、防犯性能をさらに向上させることができる。
【００１２】
この際、本発明の障子の外れ防止装置では、前記窓枠は、上枠、下枠、および左右の縦枠を四周枠組みして形成され、前記障子は、上框、下框、および左右の縦框を四周框組みした内部に面材を嵌め込んで形成されており、前記突出片は、前記下枠に設けられ前記障子の戸車を案内するレールで構成され、前記幅広部は、前記レールの上端に設けられ前記戸車を転動可能に支持する戸車案内部で構成され、前記一対の挟持部材、および操作手段は、前記障子の下框に設けられ、前記操作手段は、室内側から操作可能に設けられていることが好ましい。
【００１３】
このような構成によれば、係合状態において、障子の下框が窓枠の下枠に連結されるので、下框と下枠との間に工具を差し込んで障子を外そうとしても、この外そうとする力に対して、互いに係合する挟持部材の係合部とレールの戸車案内部とが直接的に抵抗できるため、防犯性能を一層確実にすることができる。
また、突出片を下枠のレールで構成したことから、別途突出片を設ける必要がないので、通常の下枠と同様の構造を有した下枠を用いることができるとともに、突出片としての別体の部材を用意する必要もないので、製造コストを低減させることができる。
【００１４】
この際、本発明の障子の外れ防止装置では、前記操作手段は、前記一対の挟持部材の対向方向外面に当接し、かつ前記突出片に沿って互いに対向する間隔距離が変化する一対の案内壁と、これら一対の案内壁に設けられ前記突出片に沿って延びる案内溝と、これらの案内溝に両端が案内されるとともに、前記一対の挟持部材に連結された操作桿と、前記挟持状態および非挟持状態の各々の状態において前記操作桿を位置決めする位置決め手段と、前記一対の挟持部材を互いに離れる方向に付勢する付勢手段とを備えて構成され、前記案内溝のうちの一方は、前記案内壁を貫通して形成され、前記操作桿の一端は、前記一方の案内溝に挿通されて室内側に突出し、室内側から操作可能に設けられ、前記操作桿を前記案内溝に沿って移動操作することで、前記挟持部材が前記案内壁に沿って案内され、当該一対の挟持部材の間隔距離が変更され、前記挟持状態または非挟持状態に切り換え可能に構成してもよい。
【００１５】
また、本発明の障子の外れ防止装置では、前記操作手段は、前記一対の挟持部材の対向方向外面に設けられた傾斜面部と、これらの傾斜面部に外側から当接する環状部材と、この環状部材に連結されるとともに、室内側に突出して室内側から操作可能に設けられた操作桿と、この操作桿を案内して前記環状部材を前記傾斜面部に沿って移動させる案内溝と、前記一対の挟持部材を対向方向に案内する案内手段と、前記挟持状態および非挟持状態の各々の状態において前記操作桿を位置決めする位置決め手段と、前記一対の挟持部材を互いに離れる方向に付勢する付勢手段とを備えて構成され、前記操作桿を前記案内溝に沿って移動操作することで、前記環状部材が前記挟持部材の傾斜面部に沿って移動し、当該一対の挟持部材の間隔距離が変更され、前記挟持状態または非挟持状態に切り換え可能に構成してもよい。
【００１６】
さらに、本発明の障子の外れ防止装置では、前記一対の挟持部材は、前記障子に対して移動不能に設けられた固定挟持部材と、この固定挟持部材に対して進退自在に設けられた可動挟持部材とから構成され、この可動挟持部材には、その進退方向に対して傾斜した傾斜面部が設けられ、前記操作手段は、前記可動挟持部材の傾斜面部に当接し、かつ前記突出片に沿ってスライド操作可能に設けられたスライド部材と、このスライド部材に連結されるとともに、室内側に突出して室内側から操作可能に設けられた操作桿と、前記可動挟持部材を前記固定挟持部材から離れる方向に付勢する付勢手段とを備えて構成され、前記操作桿を操作し、前記スライド部材を前記可動挟持部材の傾斜面部に向かってスライドさせることで、前記可動挟持部材と前記固定挟持部材の間隔が狭まり、前記スライド部材を前記可動挟持部材の傾斜面部から離れる方向にスライドさせることで、前記可動挟持部材と前記固定挟持部材の間隔が広がり、前記挟持状態または非挟持状態に切り換え可能に構成してもよい。
【００１７】
これらの各構成によれば、それぞれ操作桿を操作して、挟持部材を移動させる、環状部材を移動させる、またはスライド部材を移動させることで、一対の挟持部材の間隔距離が変更され、挟持状態と非挟持状態とが切り換えられるようになっている。従って、いずれの構成によっても上述と同様に、防犯性および利便性を確保し、かつ低コスト化を実現した障子の外れ防止装置が形成できる。
【００１８】
また、本発明の障子の外れ防止装置では、前記一対の挟持部材、および前記操作手段は、略箱状のケース体に内蔵されており、このケース体が前記障子に固定されていることが好ましい。
このような構成によれば、ケース体に一対の挟持部材、および操作手段を内蔵した形で、障子側に取り付ける外れ防止装置をユニット化することができるので、例えば、窓枠側の突出片がレールで構成される場合には、ユニット化されたケース体を障子の下框等に取り付けるだけでよい。従って、窓枠や障子の構造を変更することなく、通常の規格のサッシ窓や既設のサッシ窓に障子の外れ防止機能を付加することができる。
【００１９】
一方、本発明のサッシ窓は、上枠、下枠、および左右の縦枠を四周枠組みして形成された窓枠と、この窓枠内側に開閉自在に支持され、上框、下框、および左右の縦框を四周框組みした内部に面材を嵌め込んで形成された障子と、前記いずれかの障子の外れ防止装置とを備えたサッシ窓であって、前記下枠には、前記障子の戸車を案内するレールが設けられており、このレールによって、前記障子の外れ防止装置の突出片が構成され、前記障子の外れ防止装置を構成する一対の挟持部材、および操作手段は、前記下框に設けられており、前記操作手段は、室内側から操作可能に設けられていることを特徴とする。
このような構成によれば、前述と同様の作用効果を有したサッシ窓を構成することができる。
【発明を実施するための最良の形態】
【００２０】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングが省略されている。
【００２１】
〔第１実施形態〕
本発明の第１実施形態に係るサッシ窓、および障子の外れ防止装置について、図１ないし図４に基づいて説明する。
図１は、本実施形態の引違い窓１０を示す室内側から見た正面図である。図２は、引違い窓１０の一部を拡大して示す正面図である。図３(Ａ)，(Ｂ)は、引違い窓１０に設けられた障子の外れ防止装置２０を示す横断面図である。図４(Ａ)，(Ｂ)は、障子の外れ防止装置２０を示す縦断面図である。
なお、本実施形態では、引違い窓１０について説明を行うが、本発明のサッシ窓は、引違い窓に限らず、片引き窓や上げ下げ窓であってもよい。
【００２２】
図１において、引違い窓１０は、図示しない建物の室内空間と室外空間とを仕切る外壁面に設けられている。引違い窓１０は、それぞれアルミ押出形材製の上枠１１、下枠１２、および左右の縦枠１３を四周枠組みした窓枠１４と、この窓枠１４の内側に開閉自在に支持された１組の障子１５とを備えて構成されている。障子１５は、室内障子１５Ａと室外障子１５Ｂとを備え、それぞれアルミ押出形材製の上框１６、下框１７、および左右の縦框１８を四周框組みした内部に、面材であるガラスパネル１９を嵌め込んで構成されている。そして、室内外の障子１５Ａ，１５Ｂは、召合せ部の縦框（召合せ框）１８同士を係合するクレセント１８Ａによって施錠可能に構成されている。また、室外障子１５Ｂの下框１７における召合せ部寄りの位置には、障子の外れ防止装置２０が設けられている。
【００２３】
図２〜４において、下枠１２は、略水平な下枠平面部１２１と、この下枠平面部１２１の上面に立設され、一対の障子１５に対応した２本の障子レール１２２とを備えて形成されている。障子レール１２２は、下枠１２の略全長に渡って下枠平面部１２１に一体に形成されており、下枠平面部１２１から略垂直に立ち上がる立上部１２３と、立上部１２３の上端に形成され、障子１５の下框１７に設けられた戸車（不図示）を転動可能に支持する戸車案内部１２４とから、断面略逆Ｌ字形に形成されている。戸車案内部１２４は、立上部１２３の上端から室内側に向かって延出している。すなわち、障子レール１２２により、窓枠１４の見付け方向内側に突出した突出片が構成され、戸車案内部１２４により、障子レール（突出片）１２２の厚さ寸法よりも幅広とされた幅広部が構成されている。
【００２４】
本実施形態の障子の外れ防止装置２０は、下枠１２の障子レール１２２と、室外障子１５Ｂの下框１７に固定され、障子レール１２２に係合して室外障子１５Ｂを下枠１２に連結させる連結ユニット２１とから構成されている。
連結ユニット２１は、下方に開口した略箱状のケース体２２を有しており、このケース体２２が下框１７の室内側側面に形成された開口から挿入され、下框１７内に固定されている。ケース体２２には、障子レール１２２の室内外両側に対向配置される一対の挟持部材２３が内蔵されており、これらの挟持部材２３で障子レール１２２を挟持することができるようになっている。また、室内側の挟持部材２３には、障子レール１２２の戸車案内部１２４よりも下方で室外側に延出した係合部２３Ａが形成され、この係合部２３Ａは、室内側に延出した戸車案内部１２４に係合可能に構成されている。
【００２５】
一対の挟持部材２３は、ケース体２２内において障子レール１２２に沿って移動可能、かつ互いの間隔距離が変更可能に支持されている。すなわち、一対の挟持部材２３の対向方向（見込み方向）外側面には、ケース体２２の内側面である案内壁２４が当接しており、これらの案内壁２４に沿って挟持部材２３が移動されるようになっている。また、案内壁２４同士の間隔距離は、ケース体２２の一端側（図３の右側）から他端側（図３の左側）に向かうに従って徐々に狭くなっており、この案内壁２４の間隔距離に応じて、一対の挟持部材２３の間隔距離が変更されるようになっている。これにより、挟持部材２３がケース体２２の他端側に移動されると、一対の挟持部材２３により障子レール１２２を挟持した挟持状態が構成されるとともに、係合部２３Ａが障子レール１２２の戸車案内部１２４に係合する係合状態（図３(Ｂ)、図４(Ｂ)の状態）が構成される。また、挟持部材２３がケース体２２の一端側に移動されると、挟持部材２３が障子レール１２２から離れる非挟持状態が構成されるとともに、係合部２３Ａが戸車案内部１２４から外れる非係合状態（図３(Ａ)、図４(Ａ)の状態）が構成される。
【００２６】
また、一対の挟持部材２３は、障子１５の見込み方向に延びる一本の操作桿２５によって貫通されており、この操作桿２５に沿って挟持部材２３が摺動し、間隔距離が変更されるようになっている。操作桿２５は、円柱棒状の金属製部材であり、その一端側が室内側の案内壁２４に形成された案内溝２６に支持され、他端側が室外側の案内壁２４に形成された案内溝２６に支持されている。案内溝２６は、下框１７の長手方向（障子レール１２２の延出方向）に沿って形成され、操作桿２５、および一対の挟持部材２３を障子レール１２２の延出方向に沿って案内できるようになっている。室内側の案内溝２６は、ケース体２２を貫通して形成されており、操作桿２５の一端側が室内側に突出し、室内側から操作可能になっている。
【００２７】
さらに、一対の挟持部材２３の間には、各々の挟持部材２３を互いに離れる方向に付勢する付勢手段としてのコイルばね２７が配置されている。このコイルばね２７は、常に挟持部材２３を付勢しており、挟持部材２３が案内壁２４に向かって押圧され、挟持部材２３と案内壁２４との当接状態が維持されるようになっている。これにより、挟持部材２３がケース体２２の一端側（図３の右側）、つまり案内壁２４の間隔が広い側に移動された際に、挟持部材２３同士の間隔距離が広がって、係合部２３Ａが障子レール１２２の戸車案内部１２４から外れるように構成されている。
【００２８】
室内側の案内溝２６の両端部には、それぞれ上方に折れ曲がった溝折曲部２６Ａが形成されるとともに、操作桿２５の一端側には、上方に折り曲げ可能な折曲部２５Ａが形成されている。この折曲部２５Ａを上方に折り曲げ、溝折曲部２６Ａに収納することにより、操作桿２５が移動不能になり、操作桿２５の位置決めがなされる。すなわち、案内溝２６の溝折曲部２６Ａと操作桿２５の折曲部２５Ａとで位置決め手段が構成されており、ケース体２２の一端側（図３の右側）において、操作桿２５の折曲部２５Ａを溝折曲部２６Ａに収納すれば、挟持部材２３の非挟持状態（非係合状態）が維持され、ケース体２２の他端側（図３の左側）において、操作桿２５の折曲部２５Ａを溝折曲部２６Ａに収納すれば、挟持部材２３の挟持状態（係合状態）が維持される。
【００２９】
次に、障子の外れ防止装置２０の操作について説明する。
障子１５を開閉する場合や、障子１５を窓枠１４に着脱する場合には、操作桿２５をケース体２２の一端側に移動させ、挟持部材２３が障子レール１２２から離れ、係合部２３Ａが戸車案内部１２４から外れる非係合状態としておく。この際、操作桿２５の折曲部２５Ａを溝折曲部２６Ａに収納しておくことで、操作桿２５の一端が室内側に突出せず、障子１５の開閉操作や着脱操作の邪魔にならないようにすることができる。
障子１５の施錠時などにおいて、障子１５の外れを防止したい場合には、操作桿２５をケース体２２の他端側に移動させ、挟持部材２３で障子レール１２２を挟持し、係合部２３Ａを戸車案内部１２４に係合させた係合状態とする。これにより障子１５が窓枠１４に連結され、室外から工具を用いて障子１５を持ち上げようとしても、障子１５が持ち上がらず窓枠１４から外れないようにすることができる。この際、操作桿２５の折曲部２５Ａを溝折曲部２６Ａに収納しておくことで、操作桿２５が容易に移動せず、係合状態を維持させることができる。
【００３０】
このような本実施形態によれば、以下のような効果がある。
（１）室外障子１５Ｂに設けた一対の挟持部材２３によって、下枠１２の障子レール１２２を挟持し、挟持部材２３の係合部２３Ａと障子レール１２２の戸車案内部１２４とを係合させることで、室外障子１５Ｂが下枠１２に連結され、室外障子１５Ｂの外れを防止することができる。
【００３１】
（２）また、操作桿２５の操作により挟持部材２３の挟持状態（係合状態）と非挟持状態（非係合状態）とが切り換え可能になっているので、障子１５の施錠時には、挟持状態（係合状態）とすることで防犯性能の向上を図ることができるとともに、障子１５の開閉時や着脱時には、非挟持状態（非係合状態）とすることで開閉や着脱を円滑に実施することができ、利便性を確保することができる。
【００３２】
（３）さらに、係合状態において、挟持部材２３で障子レール１２２を挟持するので、室外障子１５Ｂが下枠１２にがたつきなく連結されるため、室外障子１５Ｂの下框１７と下枠１２との間にバール等の工具が入りにくくなり、防犯性能を一層向上させることができる。
【００３３】
（４）また、下枠１２の障子レール１２２によって、挟持部材２３で挟持される突出片を構成し、障子レール１２２の戸車案内部１２４によって、挟持部材２３の係合部２３Ａと係合する延出部を構成したので、通常の下枠と同様の構造を有した下枠１２を用いることができるとともに、突出片としての別体の部材を用意する必要もないので、製造コストを低減させることができる。
【００３４】
（５）挟持部材２３等をケース体２２に内蔵して連結ユニット２１としてユニット化し、この連結ユニット２１を障子１５の下框１７に取り付けるように構成したので、規格品の障子１５に連結ユニット２１を取り付けることができる。従って、障子１５の下框１７の構造を変更することなく、通常の框材を用いることができるので、框材の設計、製造にかかる手間や、框材の種類数の増加を防止し、コスト低減を図ることができる。さらに、既設のサッシ窓に連結ユニット２１を取り付ければ、障子の外れ防止機能を後から付加することができる。
【００３５】
〔第２実施形態〕
次に、本発明の第２実施形態に係る障子の外れ防止装置について、図５〜７に基づいて説明する。
図５(Ａ)，(Ｂ)は、本実施形態の障子の外れ防止装置３０を示す縦断面図である。図６、７は、それぞれ障子の外れ防止装置３０を示す斜視図、および横断面図である。
本実施形態の障子の外れ防止装置３０は、障子１５の下框１７に固定される連結ユニットの構成が前述の第１実施形態と相違し、それ以外の構成は第１実施形態と略同様である。以下、相違点について詳しく説明する。
【００３６】
図５〜７において、障子の外れ防止装置３０は、下枠１２の障子レール１２２と、室外障子１５Ｂの下框１７に固定され、障子レール１２２に係合して室外障子１５Ｂを下枠１２に連結させる連結ユニット３１とから構成されている。
連結ユニット３１は、下方に開口した略箱状のケース体３２を有しており、このケース体３２が下框１７内に固定されている。ケース体３２には、障子レール１２２の室内外両側に対向配置される一対の挟持部材３３が内蔵されており、これらの挟持部材３３で障子レール１２２を挟持することができるようになっている。また、室内側の挟持部材３３には、障子レール１２２の戸車案内部１２４に係合可能な係合部３３Ａが形成されている。
【００３７】
一対の挟持部材３３は、ケース体３２内において互いの間隔距離が変更可能に支持されている。すなわち、一対の挟持部材３３には、互いの対向方向（見込み方向）外側面に傾斜面部３３Ｂが設けられ、この傾斜面部３３Ｂにリング状の環状部材３４が当接して配置されている。そして、環状部材３４を上下に移動させることで挟持部材３３の間隔距離が変更されるようになっている。また、挟持部材３３には、障子レール１２２の延出方向に沿った案内突起３３Ｃが設けられており、この案内突起３３Ｃがケース体３２の案内溝３２Ａに沿って案内されることで、互いの平行を維持したまま挟持部材３３が移動されるようになっている。すなわち、これらの案内突起３３Ｃおよび案内溝３２Ａにより、本発明の案内手段が構成されている。以上により、環状部材３４を下方に移動させ挟持部材３３の間隔距離が狭くなると、一対の挟持部材３３により障子レール１２２を挟持した挟持状態が構成されるとともに、係合部３３Ａが障子レール１２２の戸車案内部１２４に係合する係合状態（図５(Ｂ)の状態）が構成される。また、環状部材３４を上方に移動させ挟持部材３３の間隔距離が広がると、挟持部材３３が障子レール１２２から離れる非挟持状態が構成されるとともに、係合部３３Ａが戸車案内部１２４から外れる非係合状態（図５(Ａ)の状態）が構成される。
【００３８】
環状部材３４には、障子１５の見込み方向に延びる一本の操作桿３５が固定されており、この操作桿３５の一端側は、ケース体３２の室内側に突出し、室内側から操作可能になっている。また、環状部材３４の操作桿３５と交差する二方向には、それぞれ案内突起３５Ａが突出して固定されている。これらの操作桿３５および案内突起３５Ａは、それぞれケース体３２の三方の側面に形成された案内溝３６に支持され、上下方向に案内されるようになっている。案内溝３６は、上下に延びる部分と、その上下端から水平方向に折れ曲がった溝折曲部３６Ａとを有して形成されている。そして、操作桿３５を水平方向に操作し、環状部材３４を回転させることにより、操作桿３５が溝折曲部３６Ａに収納され、操作桿３５の位置決めがなされる。すなわち、案内溝３６の溝折曲部３６Ａと操作桿３５および案内突起３５Ａとで位置決め手段が構成されており、環状部材３４が挟持部材３３の傾斜面部３３Ｂの上下いずれかに位置する状態、つまり操作桿３５が案内溝３６の上端または下端に位置する状態で、操作桿３５を溝折曲部３６Ａに収納すれば、挟持部材３３の挟持状態（係合状態）、または非挟持状態（非係合状態）が維持されるようになっている。
【００３９】
さらに、一対の挟持部材３３の間には、各々の挟持部材３３を互いに離れる方向に付勢する付勢手段としてのコイルばね３７が配置されている。このコイルばね３７は、常に挟持部材３３を付勢しており、挟持部材３３が環状部材３４に向かって押圧され、挟持部材３３と環状部材３４との当接状態が維持されるようになっている。これにより、環状部材３４が挟持部材３３の傾斜面部３３Ｂの上部に移動された際に、挟持部材３３同士の間隔距離が広がって、係合部３３Ａが障子レール１２２の戸車案内部１２４から外れるように構成されている。
【００４０】
次に、障子の外れ防止装置３０の操作について説明する。
障子１５を開閉する場合や、障子１５を窓枠１４に着脱する場合には、操作桿３５を上方に操作して、環状部材３４を挟持部材３３の傾斜面部３３Ｂの上部に移動させ、挟持部材３３が障子レール１２２から離れ、係合部３３Ａが戸車案内部１２４から外れる非係合状態としておく。この際、操作桿３５を溝折曲部３６Ａに収納しておくことで、操作桿３５の一端が室内側に突出せず、障子１５の開閉操作や着脱操作の邪魔にならないようにすることができる。
障子１５の施錠時などにおいて、障子１５の外れを防止したい場合には、操作桿３５を下方に操作して、環状部材３４を挟持部材３３の傾斜面部３３Ｂの下部に移動させ、挟持部材３３で障子レール１２２を挟持し、係合部３３Ａを戸車案内部１２４に係合させた係合状態とする。これにより障子１５が窓枠１４に連結され、室外から工具を用いて障子１５を持ち上げようとしても、障子１５が持ち上がらず窓枠１４から外れないようにすることができる。この際、操作桿３５を溝折曲部３６Ａに収納しておくことで、操作桿３５が容易に移動せず、係合状態を維持させることができる。
【００４１】
このような本実施形態によれば、前述の第１実施形態と略同様の効果を奏することができる他、以下の効果を得ることができる。
（６）すなわち、環状部材３４の上下移動によって挟持部材３３の間隔距離を変更させるように構成したので、連結ユニット３１の水平方向の長さ寸法を短くすることができ、障子１５に取り付けた際に連結ユニット３１が目立たないようにすることができる。
【００４２】
〔第３実施形態〕
次に、本発明の第３実施形態に係る障子の外れ防止装置について、図８〜１０に基づいて説明する。
図８(Ａ)，(Ｂ)は、本実施形態の障子の外れ防止装置４０を示す縦断面図である。図９、１０の(Ａ)，(Ｂ)は、それぞれ障子の外れ防止装置４０を示す横断面図、および正面図である。
本実施形態の障子の外れ防止装置４０は、障子１５の下框１７に固定される連結ユニットの構成が前述の第１および第２実施形態と相違し、それ以外の構成は第１および第２実施形態と略同様である。以下、相違点について詳しく説明する。
【００４３】
図８〜１０において、障子の外れ防止装置４０は、下枠１２の障子レール１２２と、室外障子１５Ｂの下框１７に固定され、障子レール１２２に係合して室外障子１５Ｂを下枠１２に連結させる連結ユニット４１とから構成されている。
連結ユニット４１は、下方に開口した略箱状のケース体４２を有しており、このケース体４２が下框１７内に固定されている。ケース体４２には、障子レール１２２の室内外両側に対向配置される一対の挟持部材４３が設けられている。一対の挟持部材４３は、固定挟持部材４３Ａおよび可動挟持部材４３Ｂから構成されており、固定挟持部材４３Ａは、障子レール１２２の室外側において、ケース体４２の下部に固定され、可動挟持部材４３Ｂは、見込み方向に移動自在にケース体４２に内蔵されている。そして、これらの固定挟持部材４３Ａおよび可動挟持部材４３Ｂで障子レール１２２を挟持することができるようになっている。また、可動挟持部材４３Ｂには、ケース体４２の下方に延び、障子レール１２２の戸車案内部１２４に係合可能な係合部４３Ｃが形成されている。
【００４４】
可動挟持部材４３Ｂは、ケース体４２内において固定挟持部材４３Ａに対する間隔距離が変更可能に支持されている。すなわち、可動挟持部材４３Ｂの室内側には、その側面に当接してスライド部材４４が左右にスライド可能に配置されており、可動挟持部材４３Ｂに形成された傾斜面部４３Ｄが、スライド部材４４に形成された傾斜面部４４Ａに押圧されることで、可動挟持部材４３Ｂが移動するようになっている。以上により、スライド部材４４をケース体４２の他端側（図９、１０の左側）にスライドさせると、可動挟持部材４３Ｂが固定挟持部材４３Ａに近づき、固定挟持部材４３Ａおよび可動挟持部材４３Ｂにより障子レール１２２を挟持した挟持状態が構成されるとともに、係合部４３Ｃが障子レール１２２の戸車案内部１２４に係合する係合状態（図８(Ｂ)、図１０の状態）が構成される。また、スライド部材４４をケース体４２の一端側（図９、１０の右側）にスライドさせると、可動挟持部材４３Ｂが固定挟持部材４３Ａから離れ、固定挟持部材４３Ａおよび可動挟持部材４３Ｂが障子レール１２２から離れる非挟持状態が構成されるとともに、係合部４３Ｃが戸車案内部１２４から外れる非係合状態（図８(Ａ)、図９の状態）が構成される。
【００４５】
また、可動挟持部材４３Ｂの上部には、２本の案内突起４３Ｅが固定され、ケース体４２の上面には、案内突起４３Ｅを挿通させる案内溝４２Ａが設けられている。そして、これらの案内突起４３Ｅが案内溝４２Ａに沿って室内外方向に案内されることで、固定挟持部材４３Ａに対する平行を維持したまま可動挟持部材４３Ｂが移動されるようになっている。
さらに、可動挟持部材４３Ｂとケース体４２の室外側側壁との間には、互いに離れる方向に可動挟持部材４３Ｂを付勢する付勢手段としてのコイルばね４７が配置されている。このコイルばね４７は、常に可動挟持部材４３Ｂを付勢しており、可動挟持部材４３Ｂが室内側に向かって押圧されている。これにより、スライド部材４４がケース体４２の一端側にスライド移動された際に、可動挟持部材４３が室内側に移動し、固定挟持部材４３Ａとの間隔距離が広がって、係合部４３Ｃが障子レール１２２の戸車案内部１２４から外れるように構成されている。
また、スライド部材４４には、障子１５の見込み方向に延びる操作桿としてのレバー４５が固定されており、このレバー４５は、ケース体４２の室内側に設けられた案内孔４６から室内側に突出し、室内側から操作可能になっている。
【００４６】
次に、障子の外れ防止装置４０の操作について説明する。
障子１５を開閉する場合や、障子１５を窓枠１４に着脱する場合には、レバー４５の操作によりスライド部材４４をケース体４２の一端側にスライドさせて、可動挟持部材４３Ｂが固定挟持部材４３Ａから離れ、係合部４３Ｃが戸車案内部１２４から外れる非係合状態とする。これにより障子１５の開閉や着脱が円滑に実施できるようになる。
障子１５の施錠時などにおいて、障子１５の外れを防止したい場合には、レバー４５の操作によりスライド部材４４をケース体４２の他端側にスライドさせて、可動挟持部材４３Ｂを室外側に移動させ、可動挟持部材４３Ｂおよび固定挟持部材４３Ａで障子レール１２２を挟持させ、係合部４３Ｃを戸車案内部１２４に係合させた係合状態とする。これにより障子１５が窓枠１４に連結され、室外から工具を用いて障子１５を持ち上げようとしても、障子１５が持ち上がらず窓枠１４から外れないようにすることができる。
【００４７】
このような本実施形態によれば、前述の第１実施形態と略同様の効果を奏することができる他、以下の効果を得ることができる。
（７）すなわち、挟持部材４３の一方である固定挟持部材４３Ａをケース体４２に固定したことにより、この固定挟持部材４３Ａをケース体４２に強固に一体化して、係合状態における障子１５と下枠１２との連結強度を高めることで、防犯性能を一層向上させることができる。
【００４８】
なお、本発明は、前記各実施形態に限定されるものではなく、本発明の目的を達成できる他の構成等を含み、以下に示すような変形等も本発明に含まれる。
例えば、挟持部材２３，３３，４３や操作手段の形態は、前記各実施形態において説明したものに限定されるものではなく、適宜変更することが可能である。
また、前記実施形態では、突出片を下枠１２に形成される障子レール１２２で構成したが、これに限らず、障子レール１２２以外の突出片を下枠１２に一体に設けてもよく、また別体に形成した突出片を下枠１２に固定してもよい。
また、突出片は、下枠１２に限らず、上枠１１や縦枠１３に設けられていてもよく、この際、連結ユニット２１，３１，４１は、障子１５の上框１６や縦框１８に固定すればよい。さらに突出片は、障子レール１２２のように枠材（下枠１２）の長手方向に沿ったものに限らず、枠材の長手方向に交差して形成されてもよい。ただし、枠材の長手方向に交差して突出片を設ける場合には、障子の開閉に支障がない位置や形態とすることは当然である。
【００４９】
また、前記実施形態では、挟持部材２３，３３，４３が障子レール（突出片）１２２の室内外に対向して配置され、挟持部材２３，３３，４３の両方または一方が見込み方向（室内外方向）に移動して、障子レール１２２を挟持するように構成したが、このような挟持部材の配置や移動方向は前記実施形態に限定されない。すなわち、挟持部材が突出片の突出方向に沿って移動するように構成してもよく、また挟持部材が回動するように構成してもよい。つまり、挟持部材は、挟持状態において突出片を挟持でき、非挟持状態において突出片から離れるように構成されていればよい。
【００５０】
また、前記実施形態では、障子レール（突出片）１２２の戸車案内部１２４で幅広部を構成したが、これに限らず、幅広部を突出片の途中位置から突出させて設けてもよく、突出片の先端を膨出させて形成してもよい。
また、前記実施形態では、挟持部材２３，３３，４３に係合部２３Ａ，３３Ａ，４３Ｃを設け、障子レール１２２の戸車案内部（幅広部）１２４に係合するように構成したが、これらの係合部および幅広部を省略してもよい。
さらに、挟持部材と突出片との間に凹凸状の滑り止めを設けてもよく、また一方に挿通孔を設け、この挿通孔に挿入可能なピンを他方に設けてもよい。このような滑り止めやピン等を設けることで、係合部を省略しても挟持状態を強固に維持できるとともに、障子１５の開閉移動を規制することができるようになり、クレセント１８Ａの他に、補助の施錠機能を付加することができる。
【００５１】
また、前記実施形態では、一対の挟持部材２３，３３，４３を互いに離れる方向に付勢する付勢手段や、挟持状態または非挟持状態で操作桿２５，３５，４５を位置決めする位置決め手段が設けられていたが、これらの付勢手段や位置決め手段は、本発明を構成する必須要件ではなく、省略することができる。
また、付勢手段は、コイルばね２７，３７，４７に限定されず、板ばねやその他の弾性部材で構成してもよい。
【００５２】
また、前記実施形態では、挟持部材２３，３３，４３や操作手段をケース体２２，３２，４２に内蔵してユニット化し、このユニット化した連結ユニット２１，３１，４１を障子１５に固定したが、これに限らず、挟持部材や操作手段をユニット化せずに、これらを構成する各々の部材を障子１５の框材（下框１７）に直接取り付けてもよい。このようにすれば、ケース体２２，３２，４２を省略することができ、部品点数を削減することができる。
【００５３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５４】
【図１】本発明の第１実施形態に係る引違い窓を示す室内側から見た正面図である。
【図２】前記引違い窓の一部を拡大して示す正面図である。
【図３】(Ａ)，(Ｂ)は、前記実施形態の障子の外れ防止装置を示す横断面図である。
【図４】(Ａ)，(Ｂ)は、前記障子の外れ防止装置を示す縦断面図である。
【図５】(Ａ)，(Ｂ)は、本発明の第２実施形態に係る障子の外れ防止装置を示す縦断面図である。
【図６】前記障子の外れ防止装置を示す斜視図である。
【図７】前記障子の外れ防止装置を示す横断面図である。
【図８】(Ａ)，(Ｂ)は、本発明の第３実施形態に係る障子の外れ防止装置を示す縦断面図である。
【図９】(Ａ)，(Ｂ)は、前記障子の外れ防止装置を示す横断面図、および正面図である。
【図１０】(Ａ)，(Ｂ)は、前記障子の外れ防止装置を示す横断面図、および正面図である。
【符号の説明】
【００５５】
１０…サッシ窓である引違い窓、１１…上枠、１２…下枠、１３…縦枠、１４…窓枠、１５…障子、１６…上框、１７…下框、１８…縦框、１９…面材、２０，３０，４０…障子の外れ防止装置、２２，３２，４２…ケース体、２３，３３，４３…挟持部材、２３Ａ，３３Ａ，４３Ｃ…係合部、２４…案内壁、２５，３５…操作桿、２６，３６…案内溝、２７，３７，４７…付勢手段であるコイルばね、３３Ｂ…傾斜面部、３４…環状部材、４３Ａ…固定挟持部材、４３Ｂ…可動挟持部材、４３Ｄ…傾斜面部、４４…スライド部材、４５…操作桿であるレバー、１２２…突出片である障子レール、１２４…幅広部である戸車案内部。
【図１】
2005127082.tif 000003
【図２】
2005127082.tif 000004
【図３】
2005127082.tif 000005
【図４】
2005127082.tif 000006
【図５】
2005127082.tif 000007
【図６】
2005127082.tif 000008
【図７】
2005127082.tif 000009
【図８】
2005127082.tif 000010
【図９】
2005127082.tif 000011
【図１０】
2005127082.tif 000012